(57)【特許請求の範囲】
【請求項１】
電子クーポン提供サーバ装置からユーザの移動体端末装置へ電子クーポンを提供する電子クーポン提供システムであって、
前記移動体端末装置は、
前記移動体端末装置の位置情報を前記電子クーポン提供サーバ装置へ送信する位置情報送信部と、
パスワードの入力を許容するパスワード入力許容部と、
前記電子クーポンを前記ユーザが利用可能な状態にする電子クーポン利用可能化部と、を備え、
前記電子クーポン提供サーバ装置は、
前記移動体端末装置に、公開の第１の電子クーポンと、パスワードを必要とする第２の電子クーポンと、を発行する電子クーポン発行部、を備え、
前記電子クーポン発行部は、前記移動体端末装置を起動したときに有効な前記第１の電子クーポン及び前記第２の電子クーポンを前記移動体端末装置へ送信し、
前記電子クーポン利用可能化部は、前記第２の電子クーポンに対応して予め定められた領域に位置しているとき、前記パスワードの入力に基づいて前記第２の電子クーポンを利用可能な状態にする、
電子クーポン提供システム。
【請求項２】
前記移動体端末装置は、
前記第１の電子クーポンを保存する第１の電子クーポン保存部と、
前記第２の電子クーポンを保存する第２の電子クーポン保存部と、を備え、
前記電子クーポン利用可能化部は、前記第２の電子クーポンに対応して予め定められた領域に位置しているとき、前記パスワードの入力に基づいて前記第２の電子クーポン保存部へアクセス可能とすることにより、前記第２の電子クーポンを利用可能な状態にする、
請求項１に記載の電子クーポン提供システム。
【請求項３】
前記電子クーポン発行部は、前記パスワードを含む前記第２の電子クーポンを発行し、
前記電子クーポン利用可能化部は、前記第２の電子クーポンに対応して予め定められた領域に位置しているとき、前記パスワードの入力に基づいて前記第２の電子クーポンを利用可能な状態にする、
請求項１に記載の電子クーポン提供システム。
【請求項４】
前記移動体端末装置は、
指定された複数のエリアの全てに滞在したか否かを判定するスタンプラリー判定部、を備え、
前記スタンプラリー判定部は、前記全てのエリアに滞在したと判定され、且つ／又は、全てのエリアのイベントをクリアしたと判定されたとき、前記電子クーポン提供サーバ装置へ前記判定の結果を送信し、
前記電子クーポン発行部は、公開の第３の電子クーポンと、前記パスワードを必要とする第４の電子クーポンと、を発行し、
前記電子クーポン利用可能化部は、前記パスワードの入力に基づいて前記第４の電子クーポンを利用可能な状態にする、
請求項１〜３のいずれか一項に記載の電子クーポン提供システム。
【請求項５】
前記電子クーポン発行部は、前記パスワードを含む前記第４の電子クーポンを発行し、
前記電子クーポン利用可能化部は、前記パスワードの入力に基づいて前記第４の電子クーポンを取得する、
請求項４に記載の電子クーポン提供システム。
【請求項６】
電子クーポン提供サーバ装置からユーザの移動体端末装置へ電子クーポンを提供する電子クーポン提供方法であって、
前記移動体端末装置が、前記移動体端末装置の位置情報を前記電子クーポン提供サーバ装置へ送信する位置情報送信ステップと、
前記移動体端末装置が、パスワードの入力を許容するパスワード入力許容ステップと、
前記移動体端末装置が、前記電子クーポンを前記ユーザが利用可能な状態にする電子クーポン利用可能化ステップと、を備え、
前記電子クーポン提供サーバ装置が、前記移動体端末装置に、公開の第１の電子クーポンと、パスワードを必要とする第２の電子クーポンと、を発行する電子クーポン発行ステップ、を備え、
前記電子クーポン発行ステップでは、前記移動体端末装置を起動したときに有効な前記第１の電子クーポン及び前記第２の電子クーポンを前記移動体端末装置へ送信し、
前記電子クーポン利用可能化ステップでは、前記第２の電子クーポンに対応して予め定められた領域に位置しているとき、前記パスワードの入力に基づいて前記第２の電子クーポンを利用可能な状態にする、
電子クーポン提供方法。
【請求項７】
前記移動体端末装置が、前記第１の電子クーポンを第１の電子クーポン保存部に保存する第１の電子クーポン保存ステップと、
前記移動体端末装置が、前記第２の電子クーポンを第２の電子クーポン保存部に保存する第２の電子クーポン保存ステップと、を備え、
前記電子クーポン利用可能化ステップでは、前記第２の電子クーポンに対応して予め定められた領域に位置しているとき、前記パスワードの入力に基づいて前記第２の電子クーポン保存部へアクセス可能とすることにより、前記第２の電子クーポンを利用可能な状態にする、
請求項６に記載の電子クーポン提供方法。
【請求項８】
前記電子クーポン発行ステップでは、前記パスワードを含む前記第２の電子クーポンを発行し、
前記電子クーポン利用可能化ステップでは、前記第２の電子クーポンに対応して予め定められた領域に位置しているとき、前記パスワードの入力に基づいて前記第２の電子クーポンを利用可能な状態にする、
請求項６に記載の電子クーポン提供方法。
【請求項９】
前記移動体端末装置が、指定された複数のエリアの全てに滞在したか否かを判定するスタンプラリー判定ステップ、を備え、
前記スタンプラリー判定ステップでは、前記全てのエリアに滞在したと判定され、且つ／又は、全てのエリアのイベントをクリアしたと判定されたとき、前記電子クーポン提供サーバ装置へ前記判定の結果を送信し、
前記電子クーポン発行ステップでは、公開の第３の電子クーポンと、前記パスワードを必要とする第４の電子クーポンと、を発行し、
前記電子クーポン利用可能化ステップでは、前記パスワードの入力に基づいて前記第４の電子クーポンを利用可能な状態にする、
請求項６〜８のいずれか一項に記載の電子クーポン提供方法。
【請求項１０】
前記電子クーポン発行ステップでは、前記パスワードを含む前記第４の電子クーポンを発行し、
前記電子クーポン利用可能化ステップでは、前記パスワードの入力に基づいて前記第４の電子クーポンを取得する、
請求項９に記載の電子クーポン提供方法。
【請求項１１】
電子クーポン提供サーバ装置からユーザの移動体端末装置へ電子クーポンを提供するコンピュータプログラムであって、コンピュータを、
前記移動体端末装置を、
前記移動体端末装置の位置情報を前記電子クーポン提供サーバ装置へ送信する位置情報送信手段と、
パスワードの入力を許容するパスワード入力許容手段と、
前記電子クーポンを前記ユーザが利用可能な状態にする電子クーポン利用可能化手段、として機能させ、
前記電子クーポン提供サーバ装置を、
前記移動体端末装置に、公開の第１の電子クーポンと、パスワードを必要とする第２の電子クーポンと、を発行する電子クーポン発行手段、として機能させ、
前記電子クーポン発行手段は、前記移動体端末装置を起動したときに有効な前記第１の電子クーポン及び前記第２の電子クーポンを前記移動体端末装置へ送信し、
前記電子クーポン利用可能化手段は、前記第２の電子クーポンに対応して予め定められた領域に位置しているとき、前記パスワードの入力に基づいて前記第２の電子クーポンを利用可能な状態にする、
コンピュータプログラム。
【請求項１２】
前記移動体端末装置を、更に、
前記第１の電子クーポンを保存する第１の電子クーポン保存手段と、
前記第２の電子クーポンを保存する第２の電子クーポン保存手段、として機能させ、
前記電子クーポン利用可能化手段は、前記第２の電子クーポンに対応して予め定められた領域に位置しているとき、前記パスワードの入力に基づいて前記第２の電子クーポン保存手段へアクセス可能とすることにより、前記第２の電子クーポンを利用可能な状態にする、
請求項１１に記載のコンピュータプログラム。
【請求項１３】
前記電子クーポン発行手段は、前記パスワードを含む前記第２の電子クーポンを発行し、
前記電子クーポン利用可能化手段は、前記第２の電子クーポンに対応して予め定められた領域に位置しているとき、前記パスワードの入力に基づいて前記第２の電子クーポンを利用可能な状態にする、
請求項１１に記載のコンピュータプログラム。
【請求項１４】
前記移動体端末装置を、更に、
指定された複数のエリアの全てに滞在したか否かを判定するスタンプラリー判定手段、として機能させ、
前記スタンプラリー判定手段は、前記全てのエリアに滞在したと判定され、且つ／又は、全てのエリアのイベントをクリアしたと判定されたとき、前記電子クーポン提供サーバ装置へ前記判定の結果を送信し、
前記電子クーポン発行手段は、公開の第３の電子クーポンと、前記パスワードを必要とする第４の電子クーポンと、を発行し、
前記電子クーポン利用可能化手段は、前記パスワードの入力に基づいて前記第４の電子クーポンを利用可能な状態にする、
請求項１１〜１３のいずれか一項に記載のコンピュータプログラム。
【請求項１５】
前記電子クーポン発行手段は、前記パスワードを含む前記第４の電子クーポンを発行し、
前記電子クーポン利用可能化手段は、前記パスワードの入力に基づいて前記第４の電子クーポンを取得する、
請求項１４に記載のコンピュータプログラム。
【請求項１６】
請求項１１〜１５のいずれかに記載の制御プログラムが記録されたコンピュータで読み取り可能な記録媒体。
【発明の詳細な説明】
【技術分野】
【０００１】
本発明は、電子クーポン提供システム、電子クーポン提供方法、コンピュータプログラム及びコンピュータプログラムを記録した記録媒体に関する。
【背景技術】
【０００２】
従来より、店舗等がユーザの来店を促すためにクーポン券を発行し、ユーザがこのクーポン券を持参した場合に、商品の価格を割引きする等の特典を与えるビジネスが行われている。これにより、ユーザの繰り返しの来店や、商品の販売促進の効果が期待されている。
一方、近年ではインターネットおよび移動体端末装置の普及と相まって、スマートフォンなどの移動体端末装置に向けて上記クーポンを電子的に発行する電子クーポンを用いたビジネスが増加している。
本発明に関連する従来技術を開示する特許文献１〜３も参照されたい。
【先行技術文献】
【特許文献】
【０００３】
【特許文献１】特開２０１４−１９１６０８号公報
【特許文献２】特開２０１１−２１５７５７号公報
【特許文献３】特開２０１０−２１１６８５号公報
【発明の概要】
【発明が解決しようとする課題】
【０００４】
本発明者は、このような電子クーポンビジネスが増加する中、該電子クーポンがユーザに効果的に利用されるよう鋭意検討を重ねてきた結果、以下のことに気がついた。
電子クーポンを発行する店舗は、新規顧客を開拓するために、そして、既存顧客を維持するために、電子クーポンを発行する。しかしながら、これまでは新規顧客に対しても既存顧客に対しても、同一内容のクーポンを発行しており、既存顧客であるがゆえのお得感については考慮されていなかった。そこで、電子クーポンを発行する際に、公開の第１の電子クーポン及びパスワードを必要とする第２の電子クーポンを発行し、パスワードを有しない新規顧客には第１の電子クーポンを、既存顧客には、以前に店舗を来店した際に別途発行されたパスワードによって解除される第２の電子クーポンを、利用可能とすることにより、新規顧客の開拓をしつつ、既存顧客の維持を高めることができることに想到した。
【課題を解決するための手段】
【０００５】
この発明は上述の課題に鑑みてなされたものであり、その第１の局面は次のように規定される。即ち、
電子クーポン提供サーバ装置からユーザの移動体端末装置へ電子クーポンを提供する電子クーポン提供システムであって、
前記移動体端末装置は、
前記移動体端末装置の位置情報を前記電子クーポン提供サーバ装置へ送信する位置情報送信部と、
パスワードの入力を許容するパスワード入力許容部と、
前記電子クーポンを前記ユーザが利用可能な状態にする電子クーポン利用可能化部と、を備え、
前記電子クーポン提供サーバ装置は、
前記移動体端末装置に、公開の第１の電子クーポンと、パスワードを必要とする第２の電子クーポンと、を発行する電子クーポン発行部、を備え、
前記電子クーポン発行部は、前記移動体端末装置を起動したときに有効な前記第１の電子クーポン及び前記第２の電子クーポンを前記移動体端末装置へ送信し、
前記電子クーポン利用可能化部は、前記第２の電子クーポンに対応して予め定められた領域に位置しているとき、前記パスワードの入力に基づいて前記第２の電子クーポンを利用可能な状態にする、
電子クーポン提供システム。
【０００６】
このように規定される第１の局面に規定の電子クーポン提供システムによれば、電子クーポン提供サーバ装置は、移動体端末装置に対して、公開の第１の電子クーポンと、パスワードを必要とする第２の電子クーポンとを発行する。そして、第２の電子クーポンについては、該第２の電子クーポンに対応して予め定められた領域に移動体端末装置が位置し、別途発行された適正なパスワードが入力されることによって利用可能な状態となる。このようなシステムによれば、公開の第１の電子クーポンを発行することにより新規顧客の開拓を行いつつ、第１の電子クーポンに比べお得感の高い第２の電子クーポンであって、すでに店舗へ来店の際に受け取ったパスワードで利用可能となる第２の電子クーポンを発行することにより既存顧客の維持を高めることができる。
第１の電子クーポンは、公開の電子クーポン、すなわち、利用可能な状態とするためにパスワードを必要としない電子クーポンであるため、例えば、第１の電子クーポンを示すアイコンやリスト表示の該当部分をタップ等することにより誰もが該電子クーポンを利用可能な状態とすることができる。
第２の電子クーポンは、第１の電子クーポンと異なる内容の電子クーポンであり、第１の電子クーポンに比べて、例えば、商品の割引率が高い等、お得感の高い内容であることが好ましい。第２の電子クーポンは、適正なパスワードが入力されることにより利用可能な状態となる。当該パスワードは、同一店舗あるいは同一グループに属する他店舗によって発行されたレシート等に記載されているものとすることができる。当該パスワードが適正であるか否かの判断は、例えば、サーバ装置から発行された第２の電子クーポンに付与されたパスワードと、入力されたパスワードとを照合することにより行うことができる。
電子クーポンを利用可能な状態にするとは、電子クーポンの内容を店舗等の店員に提示可能な状態とすれば、特に限定されないが、例えば、電子クーポンの内容を移動体端末装置の表示画面上に表示することが挙げられる。
第２の電子クーポンに対応して予め定められた領域とは、第２の電子クーポンを発行した店舗の位置に基づく所定領域（例えば、店舗の位置を中心に半径１００ｍ）とすることができる。当該所定領域は、店舗内を示す領域に限らず、店舗外の周辺領域を含む領域であっても良い。また、所定領域は、第２の電子クーポンを発行した店舗が属するグループに基づいて定められていても良い。この場合、当該グループに含まれる店舗の全てを包含するように該領域を定めることができる。
【０００７】
各店舗から発行される第１の電子クーポンは、一の内容の電子クーポンに限られず、内容の異なる複数の電子クーポンであっても良い。第２の電子クーポンについても、同様に、内容の異なる複数の電子クーポンであっても良い。複数の第２の電子クーポンが発行される場合、夫々の第２の電子クーポンを利用可能な状態とするためのパスワードは同一のものであっても良く、異なるものとしても良い。異なるパスワードとする場合の例として、例えば、店舗での利用内容に応じて異なるパスワードを発行し、該利用内容に応じてお得感の異なる複数の第２の電子クーポンを発行する。そして、該利用内容に応じて発行されたパスワードを使って、対応する第２の電子クーポンを利用可能な状態とすることができる。具体的には、ユーザの、店舗での利用金額が１０００円未満の場合に第１のパスワードが発行され、利用金額が１０００円以上の場合に第２のパスワードが発行される。一方、当該店舗の第２の電子クーポンとして、第１のパスワードで利用可能となる第２−１の電子クーポン「次回のお買い物の際１０％引き♪」、第２のパスワードで利用可能となる第２−２の電子クーポン「次回のお買い物の際３０％引き♪」が発行される。第２−１の電子クーポン及び第２−２の電子クーポンを受信したユーザは、第１のパスワードを有している場合には第２−１の電子クーポンを利用可能とすることができ、第２のパスワードを有している場合には第２−２の電子クーポンを利用可能とすることができる。
【０００８】
この発明の第２の局面は次のように規定される。即ち、
第１の局面に規定の電子クーポン提供システムにおいて、前記移動体端末装置は、
前記第１の電子クーポンを保存する第１の電子クーポン保存部と、
前記第２の電子クーポンを保存する第２の電子クーポン保存部と、を備え、
前記電子クーポン利用可能化部は、前記第２の電子クーポンに対応して予め定められた領域に位置しているとき、前記パスワードの入力に基づいて前記第２の電子クーポン保存部へアクセス可能とすることにより、前記第２の電子クーポンを利用可能な状態にする。
このように規定される第２の局面に規定の電子クーポン提供システムによれば、サーバ装置から発行された第１の電子クーポン、第２の電子クーポンは、移動体端末装置内の第１の電子クーポン保存部、第２の電子クーポン保存部に夫々保存され、適正なパスワードが入力された場合に第２の電子クーポン保存部へアクセス可能となる。このようなシステムによれば、一のグループに属する複数の店舗から夫々発行される第１の電子クーポン及び第２の電子クーポンは夫々の保存部に保存されるため電子クーポンの管理が容易である。また、当該グループに属する一の店舗で発行されたパスワードで、第２の電子クーポン保存部へアクセス可能となれば、同一グループ内他店舗が発行する第２の電子クーポンを利用可能な状態とすることができるため、当該グループ内の顧客集客力を向上させることが可能となる。
【０００９】
この発明の第３の局面は次のように規定される。即ち、
第１の局面に規定の電子クーポン提供システムにおいて、前記電子クーポン発行部は、前記パスワードを含む前記第２の電子クーポンを発行し、
前記電子クーポン利用可能化部は、前記第２の電子クーポンに対応して予め定められた領域に位置しているとき、前記パスワードの入力に基づいて前記第２の電子クーポンを利用可能な状態にする。
このように規定される第３の局面に規定の電子クーポン提供システムによれば、第２の電子クーポンを利用可能な状態とするパスワードは、サーバ装置から第２の電子クーポンが発行される際に併せて配信される。このように、各店舗から発行される第２の電子クーポンごとに固有のパスワードが付与されていることで、店舗ごとに顧客集客力を向上させることができる。
【００１０】
この発明の第４の局面は次のように規定される。即ち、
第１〜第３のいずれかの局面に規定の電子クーポン提供システムにおいて、前記移動体端末装置は、
指定された複数のエリアの全てに滞在したか否かを判定するスタンプラリー判定部、を備え、
前記スタンプラリー判定部は、前記全てのエリアに滞在したと判定され、且つ／又は、全てのエリアのイベントをクリアしたと判定されたとき、前記電子クーポン提供サーバ装置へ前記判定の結果を送信し、
前記電子クーポン発行部は、公開の第３の電子クーポンと、前記パスワードを必要とする第４の電子クーポンと、を発行し、
前記電子クーポン利用可能化部は、前記パスワードの入力に基づいて前記第４の電子クーポンを利用可能な状態にする。
【００１１】
このように規定される第４の局面に規定の電子クーポン提供システムによれば、移動体端末装置が、指定された複数のエリアの全てに滞在し、あるいは、全てのエリアにおけるイベントをクリアしたと判定されたとき、さらなる電子クーポンとして、公開の第３の電子クーポン及びパスワードを必要とする第４の電子クーポンを発行する。
指定された複数のエリアの全てに滞在したことの判定は、複数の店舗で構成されるグループにおいて、当該グループに属する全ての店舗に来店したことを判定できれば良く、例えば、移動体端末装置が、各店舗の位置に基づいて定められる各エリアの全てに所定時間位置したことをもって行うことができる。
全てのエリアにおけるイベントをクリアしたことの判定は、上記全ての店舗にて、各店舗が発行した電子クーポンを利用可能な状態としたことをもって行うことができる。この場合、各店舗において、該店舗が発行した第１の電子クーポン、第２の電子クーポンのいずれかが利用可能な状態とされれば良い。
このようにスタンプラリー形式とすることにより、スタンプラリー達成後に発行される電子クーポンを目的とするユーザにとって、グループ内の全ての店舗に来店し、また、全ての店舗において電子クーポンを利用とする契機となる。
前記電子クーポン発行部は、前記パスワードを含む前記第４の電子クーポンを発行し、前記電子クーポン利用可能化部は、前記パスワードの入力に基づいて前記第４の電子クーポンを取得することとしても良い（第５の局面）。
【００１２】
また、この発明の第６の局面は次のように規定される。即ち、
電子クーポン提供サーバ装置からユーザの移動体端末装置へ電子クーポンを提供する電子クーポン提供方法であって、
前記移動体端末装置が、前記移動体端末装置の位置情報を前記電子クーポン提供サーバ装置へ送信する位置情報送信ステップと、
前記移動体端末装置が、パスワードの入力を許容するパスワード入力許容ステップと、
前記移動体端末装置が、前記電子クーポンを前記ユーザが利用可能な状態にする電子クーポン利用可能化ステップと、を備え、
前記電子クーポン提供サーバ装置が、前記移動体端末装置に、公開の第１の電子クーポンと、パスワードを必要とする第２の電子クーポンと、を発行する電子クーポン発行ステップ、を備え、
前記電子クーポン発行ステップでは、前記移動体端末装置を起動したときに有効な前記第１の電子クーポン及び前記第２の電子クーポンを前記移動体端末装置へ送信し、
前記電子クーポン利用可能化ステップでは、前記第２の電子クーポンに対応して予め定められた領域に位置しているとき、前記パスワードの入力に基づいて前記第２の電子クーポンを利用可能な状態にする、
電子クーポン提供方法。
このように規定される第６の局面の発明によれば、第１の局面と同等の効果を奏する。
【００１３】
この発明の第７の局面は次のように規定される。即ち、
第６の局面に規定の方法において、前記移動体端末装置が、前記第１の電子クーポンを第１の電子クーポン保存部に保存する第１の電子クーポン保存ステップと、
前記移動体端末装置が、前記第２の電子クーポンを第２の電子クーポン保存部に保存する第２の電子クーポン保存ステップと、を備え、
前記電子クーポン利用可能化ステップでは、前記第２の電子クーポンに対応して予め定められた領域に位置しているとき、前記パスワードの入力に基づいて前記第２の電子クーポン保存部へアクセス可能とすることにより、前記第２の電子クーポンを利用可能な状態にする。
このように規定される第７の局面の発明によれば、第２の局面と同等の効果を奏する。
【００１４】
この発明の第８の局面は次のように規定される。即ち、
第６の局面に規定の方法において、前記電子クーポン発行ステップでは、前記パスワードを含む前記第２の電子クーポンを発行し、
前記電子クーポン利用可能化ステップでは、前記第２の電子クーポンに対応して予め定められた領域に位置しているとき、前記パスワードの入力に基づいて前記第２の電子クーポンを利用可能な状態にする。
このように規定される第８の局面の発明によれば、第３の局面と同等の効果を奏する。
【００１５】
この発明の第９の局面は次のように規定される。即ち、
第６〜第８のいずれかの局面に規定の方法において、前記移動体端末装置が、指定された複数のエリアの全てに滞在したか否かを判定するスタンプラリー判定ステップ、を備え、
前記スタンプラリー判定ステップでは、前記全てのエリアに滞在したと判定され、且つ／又は、全てのエリアのイベントをクリアしたと判定されたとき、前記電子クーポン提供サーバ装置へ前記判定の結果を送信し、
前記電子クーポン発行ステップでは、公開の第３の電子クーポンと、前記パスワードを必要とする第４の電子クーポンと、を発行し、
前記電子クーポン利用可能化ステップでは、前記パスワードの入力に基づいて前記第４の電子クーポンを利用可能な状態にする。
このように規定される第９の局面の発明によれば、第４の局面と同等の効果を奏する。
【００１６】
この発明の第１０の局面は次のように規定される。即ち、
第９の局面に規定の方法において、前記電子クーポン発行ステップでは、前記パスワードを含む前記第４の電子クーポンを発行し、
前記電子クーポン利用可能化ステップでは、前記パスワードの入力に基づいて前記第４の電子クーポンを取得する。
このように規定される第１０の局面の発明によれば、第５の局面と同等の効果を奏する。
【００１７】
更に、この発明の第１１の局面は次のように規定される。即ち、
電子クーポン提供サーバ装置からユーザの移動体端末装置へ電子クーポンを提供するコンピュータプログラムであって、コンピュータを、
前記移動体端末装置を、
前記移動体端末装置の位置情報を前記電子クーポン提供サーバ装置へ送信する位置情報送信手段と、
パスワードの入力を許容するパスワード入力許容手段と、
前記電子クーポンを前記ユーザが利用可能な状態にする電子クーポン利用可能化手段、として機能させ、
前記電子クーポン提供サーバ装置を、
前記移動体端末装置に、公開の第１の電子クーポンと、パスワードを必要とする第２の電子クーポンと、を発行する電子クーポン発行手段、として機能させ、
前記電子クーポン発行手段は、前記移動体端末装置を起動したときに有効な前記第１の電子クーポン及び前記第２の電子クーポンを前記移動体端末装置へ送信し、
前記電子クーポン利用可能化手段は、前記第２の電子クーポンに対応して予め定められた領域に位置しているとき、前記パスワードの入力に基づいて前記第２の電子クーポンを利用可能な状態にする、
コンピュータプログラム。
このように規定される第１１の局面の発明によれば、第１の局面と同等の効果を奏する。
【００１８】
この発明の第１２の局面は次のように規定される。即ち、
第１１の局面に規定のコンピュータプログラムにおいて、前記移動体端末装置を、更に、
前記第１の電子クーポンを保存する第１の電子クーポン保存手段と、
前記第２の電子クーポンを保存する第２の電子クーポン保存手段、として機能させ、
前記電子クーポン利用可能化手段は、前記第２の電子クーポンに対応して予め定められた領域に位置しているとき、前記パスワードの入力に基づいて前記第２の電子クーポン保存手段へアクセス可能とすることにより、前記第２の電子クーポンを利用可能な状態にする。
このように規定される第１２の局面の発明によれば、第２の局面と同等の効果を奏する。
【００１９】
この発明の第１３の局面は次のように規定される。即ち、
第１１の局面に規定のコンピュータプログラムにおいて、前記電子クーポン発行手段は、前記パスワードを含む前記第２の電子クーポンを発行し、
前記電子クーポン利用可能化手段は、前記第２の電子クーポンに対応して予め定められた領域に位置しているとき、前記パスワードの入力に基づいて前記第２の電子クーポンを利用可能な状態にする。
このように規定される第１３の局面の発明によれば、第３の局面と同等の効果を奏する。
【００２０】
この発明の第１４の局面は次のように規定される。即ち、
第１１〜第１３のいずれかの局面に規定のコンピュータプログラムにおいて、前記移動体端末装置を、更に、
指定された複数のエリアの全てに滞在したか否かを判定するスタンプラリー判定手段、として機能させ、
前記スタンプラリー判定手段は、前記全てのエリアに滞在したと判定され、且つ／又は、全てのエリアのイベントをクリアしたと判定されたとき、前記電子クーポン提供サーバ装置へ前記判定の結果を送信し、
前記電子クーポン発行手段は、公開の第３の電子クーポンと、前記パスワードを必要とする第４の電子クーポンと、を発行し、
前記電子クーポン利用可能化手段は、前記パスワードの入力に基づいて前記第４の電子クーポンを利用可能な状態にする。
このように規定される第１４の局面の発明によれば、第４の局面と同等の効果を奏する。
【００２１】
この発明の第１５の局面は次のように規定される。即ち、
第１４の局面に規定のコンピュータプログラムにおいて、前記電子クーポン発行手段は、前記パスワードを含む前記第４の電子クーポンを発行し、
前記電子クーポン利用可能化手段は、前記パスワードの入力に基づいて前記第４の電子クーポンを取得する。
このように規定される第１５の局面の発明によれば、第５の局面と同等の効果を奏する。
【００２２】
第１１〜第１５のいずれかの局面に規定のされる制御プログラムが記録されたコンピュータで読み取り可能な記録媒体が第１６の局面として規定される。
【図面の簡単な説明】
【００２３】
【図１】図１は、本発明の実施の形態の電子クーポン提供システム１の構成を示すブロック図である。
【図２】図２は、（Ａ）電子クーポン保存部３３に保存される電子クーポン、（Ｂ）同一グループ内に属する施設の一例を説明するための模式図である。
【図３】図３は、本発明の実施の形態の電子クーポン提供システム１の動作の一例を示すフローチャートである。
【図４】図４は、（Ａ）電子クーポンの表示画面、（Ｂ）パスワードの入力画面、（Ｃ）電子クーポンが利用可能な状態となった表示画面の一例を説明するための模式図である。
【図５】図５は、本発明の他の実施の形態の電子クーポン提供システム１００の構成を示すブロック図である。
【図６】図６は、本発明の他の実施の形態の電子クーポン提供システム２００の構成を示すブロック図である。
【図７】図７は、本発明の実施例の電子クーポン提供システム５００の構成を示すブロック図である。
【発明を実施するための形態】
【００２４】
この発明の実施の形態の電子クーポン提供システムを説明する。
図１に、電子クーポン提供システム１の概略構成を示す。図１に示すように、この電子クーポン提供システム１は、第１の移動体端末装置２、第２〜第ｎの移動体端末装置（Ｍ２〜Ｍｎ）及び電子クーポン提供サーバ装置３を備えており、各移動体端末装置と電子クーポン提供サーバ装置とはネットワークＮを介して夫々無線接続されている。
第１の移動体端末装置２は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、スマートフォン、頭部や腕等に装着可能なウェアラブル機器等が挙げられる。
【００２５】
第１の移動体端末装置２は、位置情報送信部２１、通信部２３、電子クーポン保存部２５、パスワード入力許容部２７及び電子クーポン利用可能化部２９を備える。
位置情報送信部２１は、第１の移動体端末装置２の位置情報をサーバ装置３へ送信する。該位置情報は、例えば、第１の移動体端末装置２に備えられたＧＰＳ装置やジャイロ装置により測位されることができる。また、当該位置情報の送信は、後述の端末側通信部を介して行われる。
端末側通信部２３は、各種情報をサーバ装置３へ送信する送信部と、各種情報をサーバ装置３から受信する受信部とを備える。当該端末側通信部２３が送信する情報としては、例えば、位置情報送信部２１による第１の移動体端末装置２の現在位置情報、第１の移動体端末装置２が起動したことを示す情報等が挙げられる。一方、当該端末側通信部２３が受信する情報としては、例えば、後述の電子クーポン発行部により発行される電子クーポン等が挙げられる。
【００２６】
端末側電子クーポン保存部２５には、端末側通信部２３で受信した電子クーポンが保存される。
パスワード入力許容部２７は、端末側電子クーポン保存部２５に保存された電子クーポンのうち、パスワードを必要とする第２の電子クーポンを利用可能とする場合に、ユーザによるパスワードの入力を許容する。当該パスワードは、該パスワードによりサーバ装置３から提供される電子クーポンのうち第２の電子クーポンを利用可能な状態にするものであればよく、例えば、店舗で商品を購入した際のレシートに、数字やアルファベット、またはその組み合わせにより構成される文字列として付与しておくことができる。電子クーポンを発行する店舗と、パスワードが付与されたレシートを発行した店舗は同一であっても良く、また、異なる店舗であっても良い。異なる店舗である場合として、例えば、電子クーポン発行店舗とレシート発行店舗とが、同一のグループに属している場合が挙げられる。当該グループとしては、商店街や観光協会、大型複合施設、互いに協力関係にある構成体等が挙げられる。
【００２７】
電子クーポン利用可能化部２９は、後述のサーバ装置３内電子クーポン発行部から発行される電子クーポンを、ユーザが利用可能な状態にする。当該電子クーポンをユーザが利用可能な状態にするとは、ユーザが電子クーポンを利用する際に、該電子クーポンの内容を店舗の店員等へ提示可能な状態にできれば、その方法は特に限定されない。例えば、公開の電子クーポン（第１の電子クーポン）の場合、ユーザにより第１の移動体端末装置２の表示画面上の電子クーポンを示すアイコンがタップされ、電子クーポンの内容を示す画面が後述の表示部を介して表示されることにより、該電子クーポンを利用可能な状態にすることができる。また、第１の移動体端末装置２の現在位置が第１の電子クーポンに対応して予め定められた領域に位置しているときに、電子クーポンを利用可能な状態とする旨の条件を付加しても良い。一方、パスワードが必要な電子クーポン（第２の電子クーポン）の場合には、第２の電子クーポンに対応して予め定められた領域に位置しているときに、ユーザにより第２の電子クーポンを示すアイコンがタップされ、かつ、パスワード入力許容部２７によるパスワードの入力が適正であることをもって、第２の電子クーポンの内容を示す画面が表示されることとすることができる。これにより、第２の電子クーポンを利用可能な状態にすることができる。
なお、第１の検索要求端末装置Ｍ１の構成について説明してきたが、他の検索要求端末装置Ｍ２、…、Ｍｎについても、Ｍ１と同様の構成を備えることとできる。
【００２８】
電子クーポン提供サーバ装置３は、通信部３１、電子クーポン保存部３３及び電子クーポン発行部３５を備える。
サーバ側通信部３１は、各種情報を移動体端末装置Ｍ１〜Ｍｎへ送信する送信部と、各種情報を移動体端末装置Ｍ１〜Ｍｎから受信する受信部とを備える。当該サーバ側通信部３１が送信する情報としては、例えば、後述の電子クーポン発行部により発行される電子クーポン等が挙げられる。また、当該サーバ側通信部３１が受信する情報としては、例えば、位置情報送信部２１による第１の移動体端末装置２の現在位置情報、第１の移動体端末装置２が起動したことを示す情報等が挙げられる。
電子クーポン保存部３３には、電子クーポンが保存される。例えば、図２（Ａ）に示すように施設（店舗）に対応して、該施設の位置情報と、第１の電子クーポン及び第２の電子クーポンとが保存されている。この例において、当該施設の位置情報は、施設の中心地点の位置情報として表されているが、該施設に関する領域を表すポリゴンデータとして表されていても良い。これらの施設Ａ〜Ｃは、例えば、図２（Ｂ）に示すように、Ｘ観光協会等同一のグループに属する施設であっても良い。この場合には、施設Ａ〜Ｃに、Ｘ観光協会領域の位置情報が関連付けられていても良い。また、各施設の電子クーポンは、Ｘ観光協会等のグループ単位で保存されていても良い。パスワードを必要とする第２の電子クーポンにはパスワードが関連付けて保存されていることとすることができる。
【００２９】
電子クーポン発行部３５は、第１の移動体端末装置２に、公開の第１の電子クーポンと、パスワードを必要とする第２の電子クーポンと、を発行する。電子クーポン発行部３５は、サーバ側通信部３１が、第１の移動体端末装置２が起動したことを示す情報を受信したとき、有効な上記第１の電子クーポン及び上記第２の電子クーポンを第１の移動体端末装置２へ送信する。電子クーポン発行部３５は、有効な電子クーポンとして、上記第１の移動体端末装置２の位置情報が属する領域で利用可能な電子クーポンを発行する。例えば、第１の移動体端末装置２が起動した際に、その位置情報が施設Ａの位置情報に基づく所定領域内である場合には、施設Ａに関連付けられた第１の電子クーポン及び第２の電子クーポンを有効な電子クーポンとして発行することができる。施設Ａの位置情報に基づく所定領域は、上記施設Ａに関連付けられた位置情報が、施設Ａの中心地点の位置情報である場合には該位置情報により示される位置を含む所定領域（例えば、半径１００ｍ）とすることができ、上記施設Ａに関連付けられた位置情報が、施設Ａに関する領域を表すポリゴンデータである場合には、該ポリゴンで示される領域あるいは該ポリゴンを含む領域とすることができる。また、他の例として、第１の移動体端末装置２の位置情報がＸ観光協会領域内である場合には、Ｘ観光協会領域に属する施設Ａ〜Ｃに関連付けられた第１の電子クーポン及び第２の電子クーポンを有効な電子クーポンとして発行することとしても良い。
【００３０】
図３を用いて、図１に示す電子クーポン提供システム１の動作の一例を説明する。
まず、ステップ１１では、第１の移動体端末装置２内の図示しない起動部は、第１の移動体端末装置２を起動する。例えば、ユーザが第１の移動体端末装置２に備えられたスタートボタンを操作することにより起動することができる。
ステップ３１では、サーバ装置３内の図示しない起動確認・位置情報要求部は、通信部３１を介して受信した第１の移動体端末装置３の起動を確認し、第１の移動体端末装置２の位置情報を要求する。
ステップ１２では、図示しない現在位置特定部は、第１の移動体端末装置２の現在位置を特定し、位置情報送信部２１は、通信部２３を介して、当該特定された第１の移動体端末装置２の位置情報をサーバ装置３へ送信する。この例において、第１の移動体端末装置２の現在位置は、図２（Ｂ）中、符号×で示す位置であるとする。
【００３１】
ステップ３２では、電子クーポン発行部３５は、通信部３１を介して取得した第１の移動体端末装置２の位置情報に基づいて、電子クーポンを発行する対象となる領域を特定する。この例において、電子クーポン保存部３３には、Ｘ観光協会領域の位置情報と、施設Ａ〜ＣがＸ観光協会領域に属する施設である旨の情報が関連付けられており、第１の移動体端末装置２の現在位置が属する領域として、Ｘ観光協会領域が特定される。
ステップ３３では、電子クーポン発行部３５は、電子クーポン保存部３３を参照して、ステップ３２で特定された領域に属する施設に関する公開の第１の電子クーポン及びパスワードを必要とする第２の電子クーポンを特定し、通信部３１を介して第１の移動体端末装置２へ発行する。第２の電子クーポンについては、パスワードが関連付けられて発行されることとすることができる。
【００３２】
ステップ１３では、端末側通信部２３は、ステップ３３で発行された第１の電子クーポン及び第２の電子クーポンを受信して電子クーポン保存部２５内に保存し、図示しない表示部は両電子クーポンをリスト表示する。この例において、表示部は、図４（Ａ）に示すように各施設の電子クーポンをリスト表示することができる。ここで、公開の第１の電子クーポンとパスワード必要とする第２の電子クーポンとを区別するための印を併せて表示することとしても良い。図４（Ａ）では、公開の第１の電子クーポンには、鍵が開いている状態の印を付してパスワードが不要な旨を、パスワードを必要とする第２の電子クーポンには、鍵がかかっている状態の印を付してパスワードが必要な旨を示している。
ステップ１４では、後述の入力部により、ステップ１３で表示されたリスト内の電子クーポンが選択される。ステップ１４で選択された電子クーポンが、第２の電子クーポンである場合（ステップ１５：Ｙｅｓ）、ステップ１６へ進む。この例において、Ａ飲食店の第２の電子クーポン（ランチ無料券）が選択されたものとする。
【００３３】
ステップ１６では、第１の移動体端末装置２内の図示しない現在位置特定部は、第１の移動体端末装置２の現在位置を特定する。
ステップ１７では、第１の移動体端末装置２内の図示しない第１の判定部は、ステップ１６で特定された第１の移動体端末装置２の現在位置が、ステップ１５の第２の電子クーポンに関連付けられたエリア内であるか否か判定し、該エリア内であるとき（ステップ１７：Ｙｅｓ）、ステップ１８へ進む。
ステップ１８では、パスワード入力許容部２７は、ユーザからのパスワードの入力を許容する。この例において、パスワードの入力画面は図４（Ｂ）のように表される。また、パスワードは、ステップ１４で選択されたＡ飲食店を利用した際のレシートに付与されていても良いし、Ａ飲食店が属するＸ観光協会の他の施設（Ｂ土産物店、Ｃ宿泊施設）によって付与されるものであっても良い。
【００３４】
ステップ１９では、第１の移動体端末装置２内の図示しない第２の判定部は、ステップ１８で入力されたパスワードが、第２の電子クーポンに関連付けられたパスワードに照らして適正であるか否かを判定し、適正であるとき（ステップ１９：Ｙｅｓ）、ステップ２０に進む。
ステップ２０では、電子クーポン利用可能化部２９は、第２の電子クーポンを利用可能な状態とする。この例において、図４（Ｃ）に示すように、Ａ飲食店の第２の電子クーポン（ランチ無料券）の内容に、鍵が開いた状態の印を併せて、また、「チケット発行！」等の文字を併せて画面に表示する。
【００３５】
図５に、他の実施の形態の電子クーポン提供システム１００を示す。図５において、図１と同一の要素には同一の符号を付して、その説明を部分的に省略する。
図５に示すのは、電子クーポン提供サーバ装置から発行される電子クーポンは、第１の移動体端末装置２内の電子クーポン保存部において、公開の第１の電子クーポンを保存する第１の保存部、パスワードを必要とする第２の電子クーポンを保存する第２の保存部に夫々保存され、パスワード入力許容部で入力許容されたパスワードは、第２の電子クーポンが保存された第２の保存部へのアクセスを可能とすることにより、第２の電子クーポンを利用可能な状態にする電子クーポン提供システム１００である。すなわち、当該システム１００は、図１に示すシステム１において、第１の移動体端末装置２に代えて第１の移動体端末装置１０２を備えている。
【００３６】
第１の移動体端末装置１０２は、位置情報送信部２１、通信部２３、電子クーポン保存部１０３、パスワード入力許容部１０６及び電子クーポン利用可能化部１０７を備える。
位置情報送信部２１及び通信部２３については、上述と同様である。
電子クーポン保存部１０３は、第１の保存部１０４及び第２の保存部１０５を備えている。
第１の保存部１０４には、端末側通信部２３を介して受信した第１の電子クーポンが保存されている。第１の保存部１０４は、オープンアクセス可能な保存部である。
第２の保存部１０５には、端末側通信部２３を介して受信した第２の電子クーポンが保存されている。第２の保存部１０５は、適正なパスワードが入力されることにより、アクセス可能な保存部である。
【００３７】
パスワード入力許容部１０６は、パスワード入力許容部２７と同様、ユーザによるパスワードの入力を許容する。
電子クーポン利用可能化部１０７は、サーバ装置３内電子クーポン発行部から発行され、電子クーポン保存部１０３に保存された電子クーポンを、ユーザが利用可能な状態にする。すなわち、電子クーポン利用可能化部１０７は、第１の移動体端末装置１０２が第２の電子クーポンに対応して予め定められたエリアに位置しているとき、上記パスワードの入力に基づいて第２の電子クーポン保存部１０５へアクセス可能とすることにより、第２の電子クーポンを利用可能な状態にする。
【００３８】
図６に、他の実施の形態の電子クーポン提供システム２００を示す。図６において、図１及び図５と同一の要素には同一の符号を付して、その説明を部分的に省略する。
図６に示すのは、上記Ｘ観光協会等の同一のグループに含まれる全ての施設に滞在したと判定されたとき、あるいは、該施設の全てのイベントをクリアしたと判定されたときに、公開の第３の電子クーポン及びパスワードが必要な第４の電子クーポンを更に発行可能な電子クーポン提供システム２００である。すなわち、当該システム２００は、図１に示すシステム１において、第１の移動体端末装置２及び電子クーポン提供サーバ装置３に代えて、夫々第１の移動体端末装置２０２及び電子クーポン提供サーバ装置２０３を備えている。
【００３９】
第１の移動体端末装置２０２は、位置情報送信部２２１、通信部２２２、電子クーポン保存部２２３、パスワード入力部２２４、電子クーポン利用可能化部２２５及びスタンプラリー判定部２２６を備えている。
位置情報送信部２２１は、位置情報送信部２１と同様、第１の移動体端末装置２０２の現在位置をサーバ装置２０３へ送信する。
端末側通信部２２２は、端末側通信部２５と同様に機能するとともに、後述のスタンプラリー判定部の判定結果をサーバ装置２０３へ送信する。
電子クーポン保存部２２３は、第１の電子クーポン及び第２の電子クーポンに加え、公開の第３の電子クーポン及びパスワードを必要とする第４の電子クーポンを、端末側通信部２２２を介して受信し、保存する。
【００４０】
パスワード入力許容部２２４は、第２の電子クーポンに加えて、第４の電子クーポンについての、ユーザによるパスワードの入力を許容する。第４の電子クーポンのパスワードは、第２の電子クーポンのパスワードと同一であっても良いし、異なっていても良い。第４の電子クーポンのパスワードについても、第２の電子クーポンのパスワードと同様、同一グループの施設等が発行したレシートに付与されていることができる。
電子クーポン利用可能化部２２５は、公開の第１の電子クーポン及び第３の電子クーポンについては、該電子クーポンの表示をタップ等することにより、該電子クーポンの内容を示す画面を表示して該電子クーポンを利用可能な状態とする。また、パスワードが必要な第２の電子クーポン及び第４の電子クーポンについては、該電子クーポンに対応して予め定められた領域に位置しているときに、ユーザにより該電子クーポンの表示をタップし、かつ、入力されたパスワードが適正であったときに、該電子クーポンの内容を示す画面を表示して該電子クーポンを利用可能な状態とすることができる。
【００４１】
スタンプラリー判定部２２６は、指定された複数のエリアの全てに滞在したか否かを判定し、該全てのエリアに滞在したと判定され、且つ／又は、全てのエリアのイベントをクリアしたと判定されたとき、サーバ装置２０３へ該判定の結果を送信する。当該指定されたエリアとは、端末側電子クーポン保存部２２３に保存されている電子クーポンに対して予め定められているエリアを示す。また、全てのエリアに滞在したことの判定は、第１の移動体端末装置２０２が該エリア内に所定時間位置することをもって行うことができる。すなわち、端末側電子クーポン保存部２２３に保存されている各電子クーポンについて夫々定められたエリアの全てに滞在したと判定された場合、その結果が通信部２２２を介してサーバ装置２０３へ送信される。他の判定方法としては、全てのエリアにおける各イベントをクリアしたと判定された場合に、その結果がサーバ装置２０３へ送信される。エリアにおけるイベントをクリアしたことの判定は、該エリアが関連付けられた電子クーポンを利用可能な状態にしたことをもって行うことができる。
【００４２】
電子クーポン提供サーバ装置２０３は、通信部２３１、電子クーポン保存部２３２及び電子クーポン発行部２３３を備えている。
サーバ側通信部２３１は、サーバ側通信部３１と同様に機能するとともに、スタンプラリー判定部２２６の判定結果を受信し、電子クーポン発行部２３３へ送る。
電子クーポン保存部２３２は、第１の電子クーポン及び第２の電子クーポンに加えて、公開の第３の電子クーポン及びパスワードを必要とする第４の電子クーポンを保存する。第１及び第２の電子クーポンが施設ごとに発行する電子クーポンであるのに対して、第３及び第４の電子クーポンは、例えば、Ｘ観光協会等、複数の施設を含むグループ単位で発行する電子クーポンであっても良い。第３及び第４の電子クーポンは、施設ごとの電子クーポンをスタンプラリー形式で全てクリアしたユーザに対するさらなる特典としての役割を有する。例えば、Ｘ観光協会が提供する記念品やＸ観光協会のグループ施設で利用可能な割引券等が挙げられる。
【００４３】
図７に、この発明の実施例の電子クーポン提供システム５００を示す。図７において、図１、図５及び図６と同一の要素には同一の符号を付して、その説明を部分的に省略する。
図７に示す電子クーポン提供システム５００は、図６に示すシステム２００において、第１の移動体端末装置２０２及び電子クーポン提供サーバ装置２０３に代えて、夫々第１の移動体端末装置５０２及び電子クーポン提供サーバ装置５０３を備えている。
【００４４】
第１の移動体端末装置５０２は、制御部５２１、メモリ部５２２、出力部５２３、入力部５２４、インターフェース部５２５、通信部２２２、位置情報送信部２２１、電子クーポン保存部２２３、パスワード入力許容部２２４、電子クーポン利用可能化部２２５及びスタンプラリー判定部２２６を備えている。
端末側制御部５２１はＣＰＵ、バッファメモリその他の装置を備えたコンピュータ装置であり、第１の移動体端末装置５０２を構成する他の要素を制御する。
端末側メモリ部５２２にはコンピュータプログラムが保存され、このコンピュータプログラムはコンピュータ装置である端末側制御部５２１に読み込まれて、これを機能させる。このコンピュータプログラムはＳＤ（登録商標）メモリカード等の汎用的な媒体へ保存できる。
【００４５】
出力部５２３はディスプレイを含み、地図や施設等の位置、第１の移動体端末装置５０２の位置、電子クーポン等、その他の情報を表示する。この出力部５２３は音声発信部やバイブレーション報知部を含むこともできる。前者の場合には、電子クーポンを受信したとき等にメッセージやアラームを音声出力することができる。後者の場合には、同様に電子クーポン受信の際、メッセージを出力するタイミングでバイブレーションによる報知を行うことができる。また、電子クーポンの種類によって、アラーム音の音量、音の種類、鳴動パターン、バイブレーションの振動の強さ、振動パターン等を異ならせても良い。
入力部５２４は、例えば、ユーザの指令の入力に用いられる。具体的には、リスト表示された電子クーポンの選択、第２及び第４の電子クーポンを利用可能とする際のパスワードの入力等に用いられる。入力部５２４として、マウス、ライトペン又はディスプレイの表示内容と協働するタッチパネル等のポインティングデバイスやキーボード又はマイクロホン等の音声入力装置を用いることができる。
端末側インターフェース部５２５は第１の移動体端末装置５０２を無線ネットワーク等へ連結させる。
【００４６】
サーバ装置５０３は、制御部５３１、メモリ部５３２、インターフェース部５３３、通信部２３１、電子クーポン保存部２３２及び電子クーポン発行部２３３を備えている。
サーバ側制御部５０３はＣＰＵ、バッファメモリその他の装置を備えたコンピュータ装置であり、サーバ装置５０３を構成する他の要素を制御する。
サーバ側メモリ部５３２にはコンピュータプログラムが保存され、このコンピュータプログラムはコンピュータ装置であるサーバ側制御部５３１に読み込まれて、これを機能させる。このコンピュータプログラムはＤＶＤ等の汎用的な媒体へ保存できる。
サーバ側インターフェース部５３３はサーバ装置５０３を無線ネットワーク等へ連結させる。
【００４７】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００４８】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４９】
１  １００  ２００  ５００  電子クーポン提供システム
２  １０２  ２０２  ５０２  第１の移動体端末装置
３  ２０３  ５０３  電子クーポン提供サーバ装置
２１  ２２１  位置情報送信部
２５  １０３  ２２３  端末側電子クーポン保存部
２７  １０６  ２２４  パスワード入力許容部
２９  １０７２２５  電子クーポン利用可能化部
３３  ２３２  サーバ側電子クーポン保存部
３５  ２３３  電子クーポン発行部
２２６  スタンプラリー判定部
【図１】
0006293698.tif 000002
【図２】
0006293698.tif 000003
【図３】
0006293698.tif 000004
【図４】
0006293698.tif 000005
【図５】
0006293698.tif 000006
【図６】
0006293698.tif 000007
【図７】
0006293698.tif 000008